(57)【要約】【課題】ダイナモを排除して快適な走行を確保しつつ、電池交換などのメンテナンスの必要のない自転車用常時点灯ライトを提供すること。【解決手段】自転車に取り付けて走行時に点灯させて使用する自転車用常時点灯ライトであって、太陽光によって発電するためのソーラー発電パネル部と、このソーラー発電パネル部で発電した電力によって充電される蓄電池と、回転ファンと発電機からなり風力によって発電を行う風力発電部と、電力によって発光する発光部と、蓄電池からの電力と風力発電部からの電力との何れを発光部に供給するかを風力発電部における発電量に応じて制御する制御部とを具備してなる。【選択図】図１
2011235751.tif 000002
【特許請求の範囲】
【請求項１】
自転車に取り付けて走行時に点灯させて使用する自転車用常時点灯ライトであって、太陽光によって発電するためのソーラー発電パネル部と、このソーラー発電パネル部で発電した電力によって充電される蓄電池と、回転ファンと発電機からなり風力によって発電を行う風力発電部と、電力によって発光する発光部と、蓄電池からの電力と風力発電部からの電力との何れを発光部に供給するかを風力発電部における発電量に応じて制御する制御部とを具備してなることを特徴とする自転車用常時点灯ライト。
【請求項２】
自転車に取り付けて走行時に点灯させて使用する自転車用常時点灯ライトであって、太陽光によって発電するためのソーラー発電パネル部と、このソーラー発電パネル部で発電した電力によって充電される蓄電池と、回転ファンと発電機からなり風力によって発電を行う風力発電部と、電力によって発光する発光部と、蓄電池からの電力を発光部に供給するモードと蓄電池の電力と風力発電部からの電力を併用して発光部に供給するモードと風力発電部からの電力を発光部に供給するモードと風力発電部からの電力を発光部に供給しつつ蓄電池を充電するモードとの何れかを風力発電部における発電量に応じて選択して制御する制御部とを具備してなることを特徴とする自転車用常時点灯ライト。
【請求項３】
振動を検出する振動センサを有してなり、前記制御部では振動センサが振動を検出した場合に発光部に対して電力供給を行うように制御することを特徴とする請求項１又は２記載の自転車用常時点灯ライト。
【発明の詳細な説明】
【技術分野】
【０００１】
本発明は、事故防止のために昼夜関係なく常に点灯させる自転車用常時点灯ライトに関するものである。
【背景技術】
【０００２】
従来の自転車用の照明器具は、その電源として電池を使用したものが多い。電池の場合その寿命がくる度に電池を入れ替えるという定期的なメンテナンスを必要としていた。また、自転車走行中に電池が切れると照明を点灯せずに走行することになり危険を伴う。よって、メンテナンスフリーの照明器具が望まれていた。
【０００３】
特許文献１に記載の自転車における安全装置は、前照灯用の発電機で発電した電力を電源回路内のソーラー電池に充電可能に構成したものであり、発電機からも充填を可能にしたことにより、特にソーラーからの電力不足に対応して、発光体を十分に発光させるだけの電力の充電が常時可能になる。
【特許文献１】特開２００３−２１２１７０号公報
【発明の開示】
【発明が解決しようとする課題】
【０００４】
特許文献１に記載の自転車における安全装置においては、いわゆるダイナモと呼ばれる発電機を電源とし、これと合わせてソーラー電池を併用することで安定して前照灯を点灯させるようにしている。しかし、ダイナモを駆動すると、どうしても自転車の車輪に負荷がかかり、ペダルが重くなるという問題がある。
【０００５】
本発明は、上記問題点に鑑みなされたものであり、ダイナモを排除して快適な走行を確保しつつ、電池交換などのメンテナンスの必要のない自転車用常時点灯ライトを提供することを目的とするものである。
【課題を解決するための手段】
【０００６】
本発明の請求項１は、自転車に取り付けて走行時に点灯させて使用する自転車用常時点灯ライトであって、太陽光によって発電するためのソーラー発電パネル部と、このソーラー発電パネル部で発電した電力によって充電される蓄電池と、回転ファンと発電機からなり風力によって発電を行う風力発電部と、電力によって発光する発光部と、蓄電池からの電力と風力発電部からの電力との何れを発光部に供給するかを風力発電部における発電量に応じて制御する制御部とを具備してなることを特徴とする自転車用常時点灯ライトである。
【０００７】
本発明の請求項２は、自転車に取り付けて走行時に点灯させて使用する自転車用常時点灯ライトであって、太陽光によって発電するためのソーラー発電パネル部と、このソーラー発電パネル部で発電した電力によって充電される蓄電池と、回転ファンと発電機からなり風力によって発電を行う風力発電部と、電力によって発光する発光部と、蓄電池からの電力を発光部に供給するモードと蓄電池の電力と風力発電部からの電力を併用して発光部に供給するモードと風力発電部からの電力を発光部に供給するモードと風力発電部からの電力を発光部に供給しつつ蓄電池を充電するモードとの何れかを風力発電部における発電量に応じて選択して制御する制御部とを具備してなることを特徴とする自転車用常時点灯ライトである。
【０００８】
本発明の請求項３は、請求項１又は２に加えて、振動を検出する振動センサを有してなり、前記制御部では振動センサが振動を検出した場合に発光部に対して電力供給を行うように制御することを特徴とする自転車用常時点灯ライトである。
【発明の効果】
【０００９】
請求項１記載の発明によれば、蓄電池からの電力と風力発電部からの電力との何れを発光部に供給するかを風力発電部における発電量に応じて制御するようにしたので、ソーラー発電パネル部によって充電した蓄電池を使用する頻度を下げて蓄電池を使用可能な時間を延ばすことを可能にし、結果、メンテナンスをすることなく長時間発光部を点灯させることができる。
【００１０】
請求項２記載の発明によれば、蓄電池からの電力を発光部に供給するモードと蓄電池の電力と風力発電部からの電力を併用して発光部に供給するモードと風力発電部からの電力を発光部に供給するモードと風力発電部からの電力を発光部に供給しつつ蓄電池を充電するモードとの何れかを風力発電部における発電量に応じて選択して制御するようにしたので、ソーラー発電パネル部によって充電した蓄電池を使用する頻度を下げて蓄電池を使用可能な時間を延ばすことを可能にし、結果、メンテナンスをすることなく長時間発光部を点灯させることができる。
【００１１】
請求項３記載の発明によれば、振動センサが振動を検出した場合に発光部に対して電力供給を行うように制御するようにしたので、自転車走行、停止に合わせて自動的に発光部が点灯、消灯を行うようにすることができる。
【図面の簡単な説明】
【００１２】
【図１】本発明の自転車用常時点灯ライト１０の外観を表した斜視図である。
【図２】本発明の自転車用常時点灯ライト１０の内部構成を表したブロック図である。
【図３】本発明の自転車用常時点灯ライト１０の他の外観例を表した斜視図である。
【図４】本発明の自転車用常時点灯ライト１０の他の外観例を表した斜視図である。
【発明を実施するための形態】
【００１３】
本発明による自転車用常時点灯ライトは、自転車に取り付けて走行時に点灯させて使用する自転車用常時点灯ライトであって、太陽光によって発電するためのソーラー発電パネル部と、このソーラー発電パネル部で発電した電力によって充電される蓄電池と、回転ファンと発電機からなり風力によって発電を行う風力発電部と、電力によって発光する発光部と、蓄電池からの電力と風力発電部からの電力との何れを発光部に供給するかを風力発電部における発電量に応じて制御する制御部とを具備してなることを特徴とするものである。
【実施例１】
【００１４】
本発明による自転車用常時点灯ライト１０の構成を図面に基づいて説明する。図１に示すのは、本発明の自転車用常時点灯ライト１０の外観を表した斜視図であり、図２に示すのは、本発明の自転車用常時点灯ライト１０の内部構成を表したブロック図である。
【００１５】
本発明の自転車用常時点灯ライト１０は、ほぼ水平面において外部に面して取り付けられたソーラー発電パネル部１１と、このソーラー発電パネル部１１を設けた面とＬ字形をなして形成された面に設けられた風力発電部１２と、これらの間に設けられた発光部１３とが、ハウジング１４によって一体に構成されている。このようにして形成された自転車用常時点灯ライト１０は、ハウジング１４の下面に設けられた固定部によって自転車のハンドル１５に固定される。
【００１６】
前記ソーラー発電パネル部１１によって発電された電力は、ハウジング１４内部に設けられた蓄電池１６に充電され、低速走行時にはこの蓄電池１６からの電力が制御部１８を介して発光部１３へと供給される。風力発電部１２は、風を受けて回転する回転ファンと、この回転ファンの回転軸に取り付けられた発電機とで構成されており、中・高速走行時にはこの発電機によって発電された電力が制御部１８を介して発光部１３へと供給される。さらに、高速走行時であって風力発電部１２における発電量に余剰分が生じている場合には、これを制御部１８で検出して、発光に必要な分を除いた余剰電力分を蓄電池１６の充電に当てる。
また、ハウジング１４内部には振動センサ１７が取り付けられており、振動センサ１７の検出結果は制御部１８に入力される。発光部１３は、ＬＥＤライト又は有機ＥＬライトで構成されている。
【００１７】
次に、発光部１３を発光させる場合の制御部１８における制御方法について説明する。先ず、制御部１８では、振動センサ１７からの振動の有無の情報に基づいて現在自転車が走行中であるか否かを判別する。自転車停止時には発光部１３に対して電源を供給せずに発光をさせない。振動センサ１７によって振動を検出したときに自転車走行中と判別して、発光部１３に対して電源を供給することになるが、このとき、ソーラー発電パネル部１１で充電した蓄電池１６からの電源を供給するか風力発電部１２からの電源を供給するかを制御部１８で切り替えて制御している。
【００１８】
自転車走行時には、風力発電部１２における回転ファンに風があたり発電機を回転させて発電が行われる。自転車の速度が低速である場合には発電量が少なく、自転車の速度が上がるにつれて発電量も大きくなる。そこで、風力発電部１２における発電量を把握するために、例えば発電機で発生した電圧値を制御部１８において監視する。そして、電圧値が所定の閾値を超えた場合にのみ風力発電部１２からの電力を発光部１３に供給するようにする。電圧値が閾値以下である場合には蓄電池１６からの電力を発光部１３に供給するようにする。このように、風力発電部１２における発電の電圧値の閾値によって電源を切り替えて制御する。
また、高速走行時において、風力発電部１２における発電の電圧値が最初の閾値を超え、さらに２段階目の閾値も超えた場合には、発電量に余剰分が生じていると制御部１８において判断して、風力発電部１２からの電力で発光部１３の点灯を行いつつ余剰分の電力を蓄電池１６の充電に割り当てる。
なお、本発明の自転車用常時点灯ライト１０は昼間も点灯させることができるものであり、日中において風力発電部１２からの電力によって発光部１３を点灯させている間は、同時にソーラー発電パネル部１１で発電して蓄電池１６に電力を蓄えるようにする。
【００１９】
自転車を停車させると振動センサ１７が振動が無くなったことを検出し、その後一定時間振動が無い状態が続いた場合に発光部１３への電力の供給を止めて消灯する。
【００２０】
以上のように、ソーラー発電パネル部１１で発電し蓄電池１６に蓄えた電源と風力発電部１２で発電した電源とを切り替えて制御するようにしたことで、蓄電池１６を使用する頻度を下げて蓄電池１６を使用可能な時間を延ばすことを可能にしている。結果、メンテナンスをすることなく長時間発光部１３を点灯させることができる。
【００２１】
前記実施例においては、蓄電池１６からの電源と風力発電部１２からの電源とを切り替えるように制御していたが、必ずしもこれに限られるものではなく、風力発電部１２における発電量に応じては、蓄電池１６からの電源と風力発電部１２からの電源とを併用するモードを採用することもできる。この場合、蓄電池からの電力を供給するモードと、蓄電池の電力と風力発電部からの電力を併用するモードと、風力発電部からの電力を供給するモードと、風力発電部からの電力を供給しつつ余剰電力で蓄電池を充電するモードの何れかを風力発電部における発電量に応じて選択して制御する。風力発電部における発電量がほとんど無い場合には蓄電池からの電力を供給するモードを、風力発電部における発電量が中間的な値である場合には蓄電池の電力と風力発電部からの電力を併用するモードを、風力発電部における発電量が大きい場合には風力発電部からの電力を供給するモードを、風力発電部における発電量が非常に大きい場合には風力発電部からの電力を供給しつつ余剰電力で蓄電池を充電するモードそれぞれ選択するようにする。選択にあたってはそれぞれの閾値を設けて選択するようにする。
【００２２】
前記実施例においては、自転車用常時点灯ライトの形状を図１に示すようなものとして説明したが、これに限られるものではなく、例えば、図３に示すようなソーラー発電パネル部１１、風力発電部１２、発光部１３の配置としたハウジング１９のような形状からなる自転車用常時点灯ライト２０としてもよい。この他にも、図４に示すようなソーラー発電パネル部１１、風力発電部１２、発光部１３の配置としたハウジング２１のような形状からなる自転車用常時点灯ライト２２としてもよい。
【００２３】
前記実施例においては、発光部１３の位置を前照灯として配置した例を用いて説明を行ったが、発光部１３は後方、側面、上面など他の方向を照射するものとして配置することも可能である。また、点灯方法としては、常に点灯させる場合のほか、点滅させるような点灯方法も採用することができる。
【符号の説明】
【００２４】
１０…自転車用常時点灯ライト、１１…ソーラー発電パネル部、１２…風力発電部、１３…発光部、１４…ハウジング、１５…ハンドル、１６…蓄電池、１７…振動センサ、１８…制御部、１９…ハウジング、２０…自転車用常時点灯ライト、２１…ハウジング、２２…自転車用常時点灯ライト。
【図１】
2011235751.tif 000003
【図２】
2011235751.tif 000004
【図３】
2011235751.tif 000005
【図４】
2011235751.tif 000006